(57)【要約】遺伝的特徴と外的及び内的リスクとを考慮し、より適切なスキンケアアドバイスや化粧品の情報を提示するカウンセリング方法及びカウンセリング装置を提供する。カウンセリング装置は、ユーザの遺伝子検査の結果を表す遺伝子情報と、ユーザの角層検査の結果を表す角層情報とを取得する取得部と、遺伝子情報に基づいてユーザの肌の特性を表す肌体質情報を算出する肌体質情報算出部と、角層情報に基づいてユーザの肌の状態を表す肌の能力情報を算出する肌の能力情報算出部と、肌体質情報と肌の能力情報とに基づいてユーザに提案する化粧品を特定する特定部と、スキンケアアドバイス及び／又は化粧品の情報を含むカウンセリング情報をユーザに提示する提示部と、を備える。
2020130103.tif 000002
【特許請求の範囲】
【請求項１】
ユーザの遺伝子検査の結果を表す遺伝子情報と、前記ユーザの角層検査の結果を表す角層情報とを取得し、
前記遺伝子情報に基づいて前記ユーザの肌体質を判定し、
前記角層情報に基づいて前記ユーザの肌の能力を判定し、
前記肌体質と前記肌の能力とに基づいて前記ユーザに提案するスキンケアアドバイス及び／又は化粧品を特定し、
前記特定されたスキンケアアドバイス及び／又は化粧品の情報を含むカウンセリング情報を前記ユーザに提示する、
ことを含むカウンセリング方法。
【請求項２】
前記カウンセリング情報は、前記肌体質の情報と前記肌の能力の情報とを含む、
請求項１に記載のカウンセリング方法。
【請求項３】
前記ユーザの属性情報又は嗜好情報を取得する、
ことを含み、
前記スキンケアアドバイス及び／又は化粧品を特定することは、前記属性情報又は嗜好情報にさらに基づく、
請求項１又は２に記載のカウンセリング方法。
【請求項４】
前記角層情報は、取得時期が異なる複数の角層検査の結果を含み、
前記肌の能力を判定することは、前記角層情報に基づいて肌の能力の変動パターンを判定することを含む、
請求項１〜３の何れか一項に記載のカウンセリング方法。
【請求項５】
前記ユーザの肌を撮影した肌画像に基づく肌画像情報を取得する、
ことを含み、
前記スキンケアアドバイス及び／又は化粧品を特定することは、前記肌画像情報にさらに基づく、
請求項１〜４の何れか一項に記載のカウンセリング方法。
【請求項６】
前記ユーザの属性情報又は嗜好情報と、前記ユーザの肌を撮影した肌画像に基づく肌画像情報とを取得する、
ことをさらに含み、
前記スキンケアアドバイス及び／又は化粧品を特定することは、
前記肌の能力と前記属性情報又は嗜好情報と前記肌画像情報とに基づいて、前記ユーザの肌に影響する要素を抽出し、
前記肌体質と前記抽出された要素とに基づいて、スキンケアアドバイス及び／又は化粧品を特定することを含む、
請求項１〜５の何れか一項に記載のカウンセリング方法。
【請求項７】
前記カウンセリング情報は、ユーザが他のユーザと情報を交換し、又はスキンケアアドバイス及び／又は化粧品に関する情報を得るためのコミュニティに関する情報を含む、請求項１〜６の何れか一項に記載のカウンセリング方法。
【請求項８】
前記カウンセリング情報は、肌の安定度に関する情報を含む、請求項１〜７の何れか一項に記載のカウンセリング方法。
【請求項９】
ユーザの遺伝子検査の結果を表す遺伝子情報と、前記ユーザの角層検査の結果を表す角層情報とを取得する取得部と、
前記遺伝子情報に基づいて前記ユーザの肌体質を判定する肌体質判定部と、
前記角層情報に基づいて前記ユーザの肌の能力を判定する肌の能力判定部と、
前記肌体質と前記肌の能力とに基づいて前記ユーザに提案するスキンケアアドバイス及び／又は化粧品を特定する特定部と、
前記特定されたスキンケアアドバイス及び／又は化粧品の情報を含むカウンセリング情報を前記ユーザに提示する提示部と、
を備えるカウンセリング装置。
【発明の詳細な説明】
【技術分野】
【０００１】
本開示は、カウンセリング方法及びカウンセリング装置に関する。
【背景技術】
【０００２】
従来、ユーザの健康や美容に関するニーズに応えるべく、健康や美容を促進する医薬品、化粧品、食品等が販売されている。特に、肌の健康や美容に関しては、ユーザの意識及び関心の高さから多様な化粧品等が提供されている。ユーザは、多様な化粧品等の中から、自身の体質や現在の肌の状態、例えば、肌のバリア性、うるおい、シミ、シワ等の状態に応じて、自身に適した化粧品等を選択することができるようになっている。一方で、ユーザは、多様な化粧品等の内から自身に適した化粧品等を選択するために自身の体質や肌の状態をまず把握しなければならなかった。【０００３】
このようなユーザの負担を軽減すべく、ユーザの体質や肌の状態を検査し、その検査の結果に基づいて推奨される化粧品等の情報や肌へのアドバイスをユーザに提示することによって、ユーザが化粧品等を選択することを支援するサービスが提供されている。特に、ユーザの遺伝子の情報とユーザの肌に生じやすいリスクの種別との間には関連があることが知られているため、ユーザの遺伝子の情報に応じてユーザの肌に生じやすいリスクの種別に応じた対処方法を提示するカウンセリングが行われている。【０００４】
例えば、特許文献１には、ユーザの遺伝子の遺伝子多型情報を取得し、取得した遺伝子多型情報に基づいてユーザの体質に関する遺伝的特徴の有無を決定し、遺伝的特徴に応じて対処方法を提示する装置が開示されている。
【先行技術文献】
【特許文献】
【０００５】
【特許文献１】特開２０１８−４５５３９号公報
【発明の概要】
【０００６】
しかしながら、肌の状態は、遺伝子の情報に基づく遺伝的特徴に加え、紫外線等による日常的な肌へのダメージや肌のケアの状況といった、ユーザの過去及び現在の生活環境や生活習慣の影響（以下、外的及び内的リスクと称する。）を受けることが知られている。したがって、適切なスキンケアアドバイスや化粧品等の情報をユーザに提示するためには、カウンセリングにおいて、遺伝的特徴に加え、肌の状態を検査することによって得られる外的及び内的リスクを考慮する必要がある。
【０００７】
カウンセリング方法及びカウンセリング装置の目的は、ユーザにとって適切なスキンケアアドバイスを提示することである。
【０００８】
実施形態に係るカウンセリング方法は、ユーザの遺伝子検査の結果を表す遺伝子情報と、ユーザの角層検査の結果を表す角層情報とを取得し、遺伝子情報に基づいてユーザの肌体質を判定し、角層情報に基づいてユーザの肌の能力を判定し、肌体質と肌の能力とに基づいてユーザに提案するスキンケアアドバイス及び／又は化粧品を特定し、特定された肌体質と肌の能力とに基づいてユーザにスキンケアアドバイス及び／又は化粧品の情報を含むカウンセリング情報をユーザに提示する、ことを含む。
【０００９】
本開示において、スキンケアアドバイスは、睡眠や運動等の生活習慣、ユーザに適したスキンケア成分、化粧品、サプリメント、美容機器等のユーザに適したスキンケア手法や食事等の、健やかで美しい肌を保つことに寄与するあらゆることに関するアドバイスを含む。また、スキンケアアドバイス及び／又は化粧品の情報は、商品リコメンド情報を含んでもよい。
【００１０】
実施形態に係るカウンセリング方法において、カウンセリング情報は、肌体質の情報と肌の能力の情報とを含む、ことが好ましい。
【００１１】
実施形態に係るカウンセリング方法は、ユーザの属性情報又は嗜好情報を取得する、ことを含み、スキンケアアドバイス及び／又は化粧品を特定することは、属性情報又は嗜好情報にさらに基づく、ことが好ましい。
【００１２】
実施形態に係るカウンセリング方法において、角層情報は、取得時期が異なる複数の角層検査の結果を含み、肌の能力を判定することは、角層情報に基づいて肌の能力の変動パターンを判定することを含む、ことが好ましい。
【００１３】
実施形態に係るカウンセリング方法は、ユーザの肌を撮影した肌画像に基づく肌画像情報を取得する、ことを含み、スキンケアアドバイス及び／又は化粧品を特定することは、肌画像情報にさらに基づく、ことが好ましい。
【００１４】
実施形態に係るカウンセリング方法は、ユーザの属性情報又は嗜好情報と、ユーザの肌を撮影した肌画像に基づく肌画像情報とを取得する、ことを含み、スキンケアアドバイスを特定することは、肌の能力と属性情報又は嗜好情報と肌画像情報とに基づいて、ユーザの肌に影響する要素を抽出し、肌体質と抽出された要素とに基づいて、スキンケアアドバイスを特定することを含む、ことが好ましい。
【００１５】
実施形態に係るカウンセリング方法において、カウンセリング情報は、ユーザが他のユーザと情報を交換し、又はスキンケアアドバイス及び／又は化粧品に関する情報を得るためのコミュニティに関する情報を含む、ことが好ましい。
【００１６】
実施形態に係るカウンセリング方法において、カウンセリング情報は、肌の安定度に関する情報を含む、ことが好ましい。
【００１７】
実施形態に係るカウンセリング装置は、ユーザの遺伝子検査の結果を表す遺伝子情報と、ユーザの角層検査の結果を表す角層情報とを取得する取得部と、遺伝子情報に基づいてユーザの肌体質を判定する肌体質判定部と、角層情報に基づいてユーザの肌の状態を表す肌の能力を判定する肌の能力判定部と、肌体質と肌の能力とに基づいてユーザに提案するスキンケアアドバイス及び／又は化粧品を特定する特定部と、スキンケアアドバイス及び／又は化粧品の情報を含むカウンセリング情報をユーザに提示する提示部と、を備える。
【００１８】
実施形態によれば、カウンセリング方法及びカウンセリング装置は、ユーザにとってより適切なスキンケアアドバイスを提示することを可能とする。
【００１９】
本発明の目的及び効果は、特に請求項において指摘される構成要素及び組み合わせを用いることによって認識され且つ得られるだろう。前述の一般的な説明及び後述の詳細な説明の両方は、例示的及び説明的なものであり、特許請求の範囲に記載されている本発明を制限するものではない。
【図面の簡単な説明】
【００２０】
【図１】カウンセリング装置３による処理の一例を示す模式図である。
【図２】カウンセリングシステムＳの概略構成の一例を示す図である。
【図３】カウンセリング装置３の概略構成の一例を示す図である。
【図４】遺伝子情報のデータ構造の一例を示す図である。
【図５】角層情報のデータ構造の一例を示す図である。
【図６】ＳＮＰテーブル６００のデータ構造の一例を示す図である。
【図７】遺伝的特徴判定テーブル７００のデータ構造の一例を示す図である。
【図８】外的及び内的リスク判定テーブル８００のデータ構造の一例を示す図である。
【図９Ａ】スキンケアアドバイステーブル９００のデータ構造の一例を示す図である。
【図９Ｂ】化粧品テーブル９１０のデータ構造の一例を示す図である。
【図１０】カウンセリング情報表示画像１０００の一例を示す図である。
【図１１】カウンセリング装置３における処理の手順の一例を示すフロー図である。
【図１２】ＳＮＰテーブル６００ａのデータ構造の一例を示す図である。
【図１３】遺伝的特徴判定テーブル７００ａのデータ構造の一例を示す図である。
【図１４】問診情報入力画面１４００の一例を示す図である。
【図１５】スキンケアアドバイステーブル９００ａのデータ構造の一例を示す図である。
【図１６】変動パターン判定テーブル１６００のデータ構造の一例を示す図である。
【図１７】ユーザ情報テーブル１７００のデータ構造の一例を示す図である。
【図１８】カウンセリング情報表示画像１０００ａの一例を示す図である。
【発明を実施するための形態】
【００２１】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００２２】
図１は、カウンセリング装置３による処理の一例を示す模式図である。
【００２３】
カウンセリング装置３は、ユーザの遺伝子検査の結果を表す遺伝子情報とユーザの角層検査の結果を表す角層情報とに基づいて、ユーザに適したスキンケアアドバイスや化粧品を特定し、特定したスキンケアアドバイスや化粧品の情報をユーザに提示する。カウンセリング装置３は、例えば、サービスの提供者によって運営される店舗に設置されるパーソナルコンピュータ（ＰＣ）である。カウンセリング装置３は、店舗の店員によって管理される多機能携帯電話（所謂「スマートフォン」）又は店舗の外に設置されるサーバ等であってもよい。
【００２４】
図１（１）に示されるように、カウンセリング装置３は、ユーザの遺伝子情報と角層情報とを取得する。遺伝子情報は、遺伝子検査の結果を表す情報である。遺伝子情報は、例えば、ユーザの所定の遺伝子が、肌の特定の性状（肌特性）と関連があると知られている所定のＳＮＰ（Single Nucleotide Polymorphism；一塩基多型）のバリエーションを含むか否かを表す情報である。肌特性は、例えば、肌のバリア性、うるおい、シミ、シワ、肌のゆらぎ、日焼けダメージ、肌の敏感度、肌荒れ等の性状である。ＳＮＰは、特定の生物種（例えば、黄色人種）における塩基配列中の一部の塩基の変異であって、特定生物種内において所定頻度（例えば、１パーセント）以上の頻度で現れることが知られている変異をいう。所定のＳＮＰを有する者は、そのＳＮＰを有しないものと比較して、例えば、肌のシミを生じやすい、又は生じにくいといった特定の肌特性との関連があることが知られている。角層情報は、角層検査の結果を表す情報である。角層情報は、例えば、ユーザの肌の角層に種々の検査を実行することによって得られる、肌特性との関連が知られている所定の角層因子の含有量や生化学的又は形態学的特性に関する情報である。
【００２５】
以降では、肌特性と関連があると知られているＳＮＰの複数のバリエーションのうち、ユーザの肌特性に影響を及ぼすバリエーションを指して、単に「ＳＮＰ」と表現することがある。
【００２６】
続いて、図１（２）に示されるように、カウンセリング装置３は、遺伝子情報に基づいてユーザの肌体質を判定する。肌体質は、ユーザの肌の体質を表す情報である。肌体質は、肌特性ごとのユーザの肌の遺伝的特徴を表す情報である。肌体質は、ユーザの肌において、将来、問題となり得る肌特性を示す情報である。
【００２７】
また、カウンセリング装置３は、角層情報に基づいて、ユーザの肌の能力を判定する。肌の能力は、肌特性ごとのユーザの肌の外的及び内的リスクの影響の程度を表す情報である。肌の能力は、ユーザの肌の美しくなる力を表す情報でもよい。肌の能力は、現在のユーザの肌において問題となっている、又は、近い将来、問題となり得る肌特性を示す情報である。
【００２８】
続いて、図１（３）に示されるように、カウンセリング装置３は、肌体質と肌の能力とに基づいて、ユーザに提案するスキンケアアドバイス及び化粧品を特定する。続いて、図１（４）に示されるように、カウンセリング装置３は、特定したスキンケアアドバイスや化粧品の情報を含むカウンセリング情報をユーザに提示し、一連の処理を終了する。
【００２９】
このように、カウンセリング装置３は、ユーザの遺伝子の検査結果を表す遺伝子情報と、ユーザの角層の検査結果を表す角層情報とを取得し、遺伝子情報に基づいてユーザの肌体質を判定し、角層情報に基づいてユーザの肌の能力を判定し、肌体質と肌の能力とに基づいてユーザに提案するスキンケアアドバイス及び／又は化粧品を特定し、スキンケアアドバイス及び／又は化粧品の情報を含むカウンセリング情報をユーザに提示する。これにより、カウンセリング装置３は、肌体質情報によって表される遺伝的特徴と肌の能力情報によって表される外的及び内的リスクとに基づく、ユーザにとってより適切なスキンケアアドバイスや化粧品の情報を提示することを可能とする。
【００３０】
図２は、カウンセリングシステムＳの概略構成の一例を示す図である。カウンセリングシステムＳは、遺伝子検査装置１と、角層検査装置２と、カウンセリング装置３とを備える。カウンセリングシステムＳにおいて、遺伝子検査装置１と、角層検査装置２と、カウンセリング装置３とは、インターネット又はイントラネット等のネットワーク４を介して相互に通信可能に接続される。
【００３１】
遺伝子検査装置１は、ユーザの身体から取得された遺伝子検査用の検体に対して遺伝子検査を実行し、遺伝子検査の結果を表す遺伝子情報を生成し、生成された遺伝子情報をカウンセリング装置３に送信する。そのために、遺伝子検査装置１は、遺伝子検査部１１と、遺伝子情報送信部１２とを備える。
【００３２】
遺伝子検査部１１は、遺伝子検査用の検体に対して遺伝子検査を実行し、遺伝子情報を生成する。遺伝子情報は、例えば、ユーザの遺伝子が所定のＳＮＰを含むか否かを表す情報である。
【００３３】
遺伝子検査部１１は、遺伝子検査用の検体から遺伝子情報を生成する。遺伝子検査用の検体は、例えば、ユーザの唾液、血液、粘膜等であるが、ユーザの核酸を精製可能な検体であればこれらに限られない。以下、遺伝子検査部１１が遺伝子検査用の検体から遺伝子情報を生成する遺伝子情報生成処理の一例について説明する。まず、遺伝子検査部１１は、公知の手法を用いて検体からユーザの核酸を精製する。続いて、遺伝子検査部１１は、生成されたＤＮＡ（Deoxyribonucleic Acid）である核酸において所定のＳＮＰの検出を試みることで所定のＳＮＰの有無を判定する。所定のＳＮＰとは、肌特性との関連が知られているＳＮＰである。所定のＳＮＰとして、肌特性ごとに単数又は複数のＳＮＰが適宜選択されてよい。所定のＳＮＰは、例えば、ＰＣＲ（Polymerase Chain Reaction）を用いた方法やＤＮＡプローブを用いた方法によって検出される。続いて、遺伝子検査部１１は、所定のＳＮＰの有無をコンピュータ読み取り可能なデジタルデータとして記録することで、遺伝子情報を生成する。
【００３４】
遺伝子検査部１１は、例えば、上述した遺伝子情報生成処理を実行可能な市販の遺伝子検査機器である。遺伝子検査部１１は、上述した核酸の精製を実行可能な核酸精製機器及びＳＮＰの検出を実行可能なＳＮＰ検出機器等の組み合わせでもよい。また、遺伝子情報生成処理の一部又は全部は検査者によって実行されてもよい。
【００３５】
遺伝子情報送信部１２は、生成された遺伝子情報をカウンセリング装置３に送信する。そのために、遺伝子情報送信部１２は、ネットワーク４を介して、カウンセリング装置３と通信を行うための通信インタフェース回路を備える。遺伝子情報送信部１２が備える通信インタフェース回路は、例えば、有線ＬＡＮ（Local Area Network）の通信インタフェース回路等である。遺伝子情報送信部１２は、ネットワーク４を介して、生成された遺伝子情報を自動的に、又は、遺伝子検査装置１の操作者若しくはカウンセリング装置３の要求に応じて、カウンセリング装置３に送信する。
【００３６】
なお、遺伝子情報送信部１２は、ネットワーク４を介さずに遺伝子情報をカウンセリング装置３に提供してもよい。例えば、遺伝子情報送信部１２は、図示しない出力部を介して、ＣＤ（Compact Disc）−ＲＯＭ（Read Only Memory）等の外部記憶媒体に遺伝子情報を出力し、カウンセリング装置３にその外部記憶媒体を読み込ませることで遺伝子情報を提供してもよい。このとき、外部記憶媒体に遺伝子情報を出力する処理とカウンセリング装置３に外部記憶媒体を読み込ませる処理との一部又は全部は検査者によって実行されてよい。
【００３７】
角層検査装置２は、ユーザの身体から粘着テープ等によって取得された角層試料に対して角層検査を実行し、角層検査の結果を表す角層情報を生成し、生成された角層情報をカウンセリング装置３に送信する。そのために、角層検査装置２は、角層検査部２１と、角層情報送信部２２とを備える。
【００３８】
角層検査部２１は、角層試料に対して角層検査を実行し、角層情報を生成する。角層情報は、肌特性との関連が知られている所定の角層因子の含有量や生化学的又は形態学的特性に関する情報である。
【００３９】
角層検査部２１は、角層試料から角層情報を生成する。角層試料は、例えば、粘着テープ等によって採取されたユーザの肌表面の組織であるが、角層細胞が含まれていればこれらに限られない。以下、角層検査部２１が角層検査用の検体から角層情報を生成する角層情報生成処理について説明する。角層検査部２１は、所定の角層因子の含有量や生化学的又は形態学的特性を測定する。例えば、角層検査部２１は、肌のバリア性や敏感度との相関が知られている角層炎症タンパク質の量を測定する。角層炎症タンパク質の量は、角層試料に対してＥＬＩＳＡ（Enzyme-Linked Immunosorbent Assay）法等の手法を用いた角層検査を実行することで測定され得る。続いて、角層検査部２１は、測定した角層因子の含有量や生化学的又は形態学的特性に関する情報をコンピュータ読み取り可能なデジタルデータとして記録することで、角層情報を生成する。
【００４０】
角層検査部２１は、例えば、角層情報生成処理を実行可能な市販の角層検査機器である。角層検査部２１は、それぞれ異なる角層情報生成処理を実行可能な複数の角層検査機器の組み合わせでもよい。また、角層情報生成処理の一部又は全部は検査者によって実行されてもよい。
【００４１】
角層情報送信部２２は、生成された角層情報をカウンセリング装置３に送信する。そのために、角層情報送信部２２は、ネットワーク４を介して、カウンセリング装置３と通信を行うための有線ＬＡＮ等の通信インタフェース回路を備える。角層情報送信部２２は、ネットワーク４を介して、生成された角層情報を自動的に、又は、角層検査装置２の操作者若しくはカウンセリング装置３の要求に応じて、カウンセリング装置３に送信する。なお、角層情報送信部２２は、上述したように、ネットワーク４を介さずに角層情報をカウンセリング装置３に提供してもよい。
【００４２】
図３は、カウンセリング装置３の概略構成の一例を示す図である。カウンセリング装置３は、記憶部３１と、操作部３２と、表示部３３と、通信部３４と、処理部３５とを備える。
【００４３】
記憶部３１は、プログラム又はデータを記憶する任意のデバイスであり、例えば、半導体メモリ装置を備える。記憶部３１は、処理部３５による処理に用いられる、オペレーティングシステムプログラム、デバイスドライバプログラム及びアプリケーションプログラム等のプログラム並びにデータ等を記憶する。プログラムは、例えば、ＣＤ−ＲＯＭ、ＤＶＤ（Digital Versatile Disc）−ＲＯＭ等のコンピュータ読み取り可能な可搬型記憶媒体から、公知のセットアッププログラム等を用いて記憶部３１にインストールされる。
【００４４】
操作部３２は、カウンセリング装置３の操作を可能とする任意のデバイスであり、例えば、タッチパネル、キーボード又はマウスである。カウンセリング装置３の操作者は、操作部３２を介して、文字、数字、記号等を入力することができる。操作部３２は、操作者によって操作された場合、その操作に対応する信号を生成する。操作部３２は、生成された信号を処理部３５に供給する。
【００４５】
表示部３３は、映像又は画像を表示する任意のデバイスであり、例えば、液晶ディスプレイ又は有機ＥＬディスプレイである。表示部３３は、タッチパネルである操作部３２と一体化されていてもよい。表示部３３は、処理部３５から供給された映像データに応じた映像や、画像データに応じた画像を表示する。
【００４６】
通信部３４は、カウンセリング装置３がネットワーク４を介して遺伝子検査装置１及び角層検査装置２等の他の装置と通信を行うための通信インタフェース回路を備える。通信部３４が備える通信インタフェース回路は、有線ＬＡＮの通信インタフェース回路である。通信部３４が備える通信インタフェース回路は、ＬＴＥ（Long Term Evolution）又は無線ＬＡＮの通信インタフェース回路等であってもよい。通信部３４は、遺伝子検査装置１及び角層検査装置２等の他の装置から受信したデータを処理部３５に供給する。
【００４７】
処理部３５は、一又は複数個のプロセッサ及びその周辺回路を備える。処理部３５は、例えばＣＰＵ（Central Processing Unit）であり、カウンセリング装置３の動作を統括的に制御する。処理部３５は、ＤＳＰ（Digital Signal Processor）、ＬＳＩ（Large Scaled Integrated Circuit）、ＡＳＩＣ（Application Specific Integrated Circuit）、ＦＰＧＡ（Field Programmable Gate Array）等でもよい。処理部３５は、記憶部３１に記憶されているプログラム及び操作部３２から供給された操作に対応する信号に基づいてカウンセリング装置３の各種処理が適切な手順で実行されるように、表示部３３及び通信部３４の動作を制御する。処理部３５は、記憶部３１に記憶されているプログラムに基づいて処理を実行する。また、処理部３５は、複数のプログラムを並列に実行することができる。
【００４８】
処理部３５は、取得部３５１と、肌体質判定部３５２と、肌の能力判定部３５３と、特定部３５４と、提示部３５５とを備える。これらの各部は、処理部３５が備えるプロセッサで実行されるプログラムにより実現される機能モジュールである。また、これらの各部は、ファームウェアとしてカウンセリング装置３に実装されてもよい。
【００４９】
取得部３５１は、ユーザの遺伝子検査の結果を表す遺伝子情報と、ユーザの角層検査の結果を表す角層情報とを取得する。例えば、取得部３５１は、通信部３４を制御して、遺伝子検査装置１から遺伝子情報をデジタルデータとして受信することによって遺伝子情報を取得する。また、取得部３５１は、通信部３４を制御して、角層検査装置２から角層情報をデジタルデータとして受信することによって角層情報を取得する。取得部３５１は、他の方法により遺伝子情報と角層情報とを取得してもよい。例えば、通信部３４を制御して、図示しない他の端末から既に検査済みの遺伝子情報又は角層情報をデジタルデータとして受信してもよい。取得部３５１は、検査者による操作部３２に対する操作に応じて遺伝子情報又は角層情報を生成することにより、遺伝子情報又は角層情報を取得してもよい。
【００５０】
図４は、遺伝子情報４００のデータ構造の一例を示す図である。遺伝子情報４００には、遺伝子名４１０、ＲＳ番号（Reference SNP ID number）４２０、変異４３０及び測定結果４４０等が関連付けられて記憶される。遺伝子名４１０には、肌特性との関連が知られている所定のＳＮＰが含まれる遺伝子の名称が記憶される。ＲＳ番号４２０には、所定のＳＮＰを一意に特定可能なＲＳ番号が記憶される。ＲＳ番号は、ＳＮＰを一意に特定可能な番号である。ＲＳ番号に対応するＳＮＰが含まれる遺伝子の名称や、ＳＮＰの塩基配列を表す配列情報等の詳細な情報は、例えば、米国国立生物工学情報センター（National Center for Biotechnology Information；ＮＣＢＩ）のウェブサイト等で公開されている。変異４３０には、関連付けられたＳＮＰの塩基配列の変異の内容を表す情報が記憶される。測定結果４４０には、関連付けられたＳＮＰがユーザの遺伝子に含まれているか否かを示す情報が記憶される。
【００５１】
図４の例では、遺伝子名「TNF」に含まれる、ＲＳ番号「rs1800629」に対応するＳＮＰは、遺伝子中の「31575254」で特定される位置の塩基が、「G（グアニン）」から「A（アデニン）」に置換されたものであることが示されている。そして、遺伝子検査装置１による検査の結果、ＲＳ番号「rs1800629」に対応するＳＮＰがユーザの遺伝子から検出されたことが示されている。また、図４の例では、遺伝子名「ABCC11」に含まれる、ＲＳ番号「rs17822931」に対応するＳＮＰは、遺伝子中の「48224287」で特定される位置の塩基が、「C（シトシン）」から「T（チミン）」に置換されたものであることが示されている。そして、遺伝子検査装置１による検査の結果、ＲＳ番号「rs17822931」に対応するＳＮＰがユーザの遺伝子から検出されなかったことが示されている。
【００５２】
図５は、角層情報５００のデータ構造の一例を示す図である。角層情報５００には、角層因子５１０及び測定量５２０等が関連付けられて記憶される。角層因子５１０には、肌特性との相関が知られているタンパク質等の所定の角層因子を識別可能な名称等の情報が記憶される。測定量５２０には、角層検査によって得られた、関連付けられている角層因子の含有量や生化学的又は形態学的特性を表す測定量が記憶される。
【００５３】
図３に戻り、肌体質判定部３５２は、遺伝子情報に基づいてユーザの肌体質を判定する。肌体質は、肌特性ごとのユーザの肌の遺伝的特徴を表す情報である。
【００５４】
例えば、肌体質判定部３５２は、記憶部３１に記憶されたＳＮＰテーブル６００を参照し、取得部３５１が取得した遺伝子情報に基づいて、肌特性ごとにＳＮＰスコアを算出する。
【００５５】
図６は、ＳＮＰテーブル６００のデータ構造の一例を示す図である。ＳＮＰテーブル６００には、ＲＳ番号６１０、肌特性６２０及び作用６３０等が関連付けられて記憶される。肌特性６２０には、肌特性の項目の何れかを識別する情報が記憶される。例えば、肌特性６２０には、肌の「バリア性」、「うるおい」、「シミ」、「シワ」、「日焼けダメージ」、「敏感度」、「肌荒れ」、「肌のゆらぎ」等の、所定の肌特性の項目の名称の何れかが記憶される。肌特性６２０には、所定の肌特性の項目を識別する識別情報が記憶されてもよい。
【００５６】
バリア性は、肌からの水分蒸散量の大小を表す。水分蒸散量が大きい場合、肌のバリア性は高いと評価され、水分蒸散量が小さい場合、肌のバリア性は低いと評価される。うるおいは、肌に含まれる水分量の大小を表す。水分量が大きい場合、肌はうるおっていると評価され、水分量が小さい場合、肌は乾燥していると評価される。シミは、メラニンの生成が高まることによる肌のある領域への色素沈着の程度が周辺の領域の色素沈着の程度と差がある場合に生ずる色むらの数を表す。色素沈着の色むら数が多い場合、肌のシミは多いと評価され、色素沈着の色むら数が少ない場合、肌のシミは少ないと評価される。シワは、肌の表皮又は真皮の変形の程度を表す。変形の程度が大きい場合、肌のシワは多いと評価され、変形の程度が小さい場合、肌のシワは少ないと評価される。日焼けダメージは、肌が日光暴露によって受けたダメージであって、シミ、シワ又は日焼けに至る前の肌の変化を表す。日焼けによるタンパク質発現の変化の程度が大きいほど、日焼けダメージは大きいと評価される。敏感度は、外的刺激や内的刺激による肌のトラブルの起こりやすさ又は感じやすさの程度を表す。肌のトラブルの起こりやすさ又は感じやすさの程度が大きいほど、敏感度は高いと評価される。肌荒れは、肌のかさつき、ごわつき、赤み等の肌変化の程度を表す。肌変化の程度が大きいほど、肌が荒れていると評価される。肌のゆらぎは、特定の刺激に由来しない、断続的に起こる肌の悪化を表す。肌の悪化の頻度又は程度が大きい程、肌のゆらぎが大きいと評価される。
【００５７】
肌特性の項目は上述した項目に限られず、他の項目が設けられてもよい。例えば、頬のバリア性及び腕のバリア性といった、部位ごとの肌特性の項目が設けられてもよい。シミの数及びシミの平均面積といった、評価方法に応じて細分化された肌特性の項目が設けられてもよい。大ジワや小ジワといった、肌特性の変動要因に応じて細分化された肌特性の項目が設けられてもよい。肌のキメ及び肌のハリといった、他の肌特性の項目が設けられてもよい。
【００５８】
作用６３０には、関連付けられたＲＳ番号に対応するＳＮＰが、関連付けられた肌特性に対してどのような作用を及ぼすのかを識別する情報が記憶される。例えば、作用６３０には、「ポジティブ」又は「ネガティブ」の何れかが記憶される。作用「ポジティブ」は、関連付けられたＳＮＰを有するユーザにおいて、関連付けられた肌特性がより現れやすくなることを意味する。作用「ネガティブ」は、関連付けられたＳＮＰを有するユーザにおいて、関連付けられた肌特性がより現れにくくなることを意味する。
【００５９】
図６に示される例では、ＲＳ番号「rs1800629」は、肌特性「シワ」と作用「ポジティブ」とに関連付けられて記憶されている。したがって、ＲＳ番号「rs1800629」に対応するＳＮＰは、肌特性「シワ」に対して、ポジティブな影響を有している。このように、ＳＮＰテーブル６００は、ＲＳ番号「rs1800629」に対応するＳＮＰを有するユーザが、そのＳＮＰを有しないユーザと比較して、肌のシワが生じやすいという遺伝的性質を有することを示す情報を記憶する。一方、ＲＳ番号「rs1800414」は、肌特性「バリア」及び作用「ネガティブ」に関連付けて記憶されている。このように、ＳＮＰテーブル６００は、ＲＳ番号「rs1800414」に対応するＳＮＰを有するユーザが、そのＳＮＰを有しないユーザと比較して、肌のバリア性が低下しやすいという遺伝的性質を有することを示す情報を記憶する。
【００６０】
なお、図６に示される例では、肌特性ごとに複数のＳＮＰが関連付けられていたが、ＳＮＰテーブル６００には、肌特性ごとに一つのＳＮＰが関連付けられて記憶されてもよい。
【００６１】
図３に戻り、肌体質判定部３５２は、ＳＮＰスコアを算出する肌特性を選択する。肌体質判定部３５２は、ＳＮＰテーブル６００を参照し、ユーザの遺伝子に含まれるＳＮＰに対応するＲＳ番号のうち、選択された肌特性に関連付けられ、且つ、「ポジティブ」の作用に関連付けられたＲＳ番号を取得する。また、肌体質判定部３５２は、ユーザの遺伝子に含まれるＳＮＰに対応するＲＳ番号のうち、選択された肌特性に関連付けられ、且つ、「ネガティブ」の作用に関連付けられたＲＳ番号を取得する。肌体質判定部３５２は、肌体質毎の体質評価アルゴリズムに基づいて、取得されたＲＳ番号に関連付けられたＳＮＰの有無に応じた肌体質スコアを算出する。
【００６２】
肌体質判定部３５２は、上述した手順をそれぞれの肌特性について実行することにより、各肌特性についての肌体質スコアを算出する。
【００６３】
図４に示された遺伝子情報４００の例を用いて、肌体質判定部３５２が図６に示されたＳＮＰテーブル６００を参照して肌体質スコアを算出する手順の一例について説明する。まず、肌体質判定部３５２は、肌体質スコアを算出する肌特性として「シワ」を選択する。続いて、肌体質判定部３５２は、ユーザの遺伝子に含まれるＳＮＰに対応するＲＳ番号のうち、肌特性「シワ」に関連付けられ、且つ、「ポジティブ」の作用に関連付けられたＲＳ番号の数を計数し、その数を「ポジティブ」の作用のスコアの値とする。図４において、ユーザの遺伝子には、肌特性「シワ」に関連付けられ、且つ、「ポジティブ」の作用に関連付けられたＲＳ番号「rs1800629」に対応するＳＮＰが含まれるため、ＲＳ番号の数は「１」と計数され、「ポジティブ」の作用のスコアの値は「１」となる。続いて、肌体質判定部３５２は、ユーザの遺伝子に含まれるＳＮＰに対応するＲＳ番号のうち、肌特性「シワ」に関連付けられ、且つ、「ネガティブ」の作用に関連付けられたＲＳ番号の数を計数し、その数を「ネガティブ」の作用のスコアの値とする。図４において、ユーザの遺伝子には、肌特性「シワ」に関連付けられ、且つ、「ネガティブ」の作用に関連付けられたＲＳ番号「rs1107946」に対応するＳＮＰが含まれないため、ＲＳ番号の数は「０」と計数され、「ネガティブ」の作用のスコアの値は「０」となる。続いて、肌体質判定部３５２は、「ポジティブ」の作用のスコアの値である「１」から「ネガティブ」の作用のスコアの値である「０」を減じることで、肌特性「シワ」の肌体質スコアを「１」と算出する。
【００６４】
なお、肌体質スコアは以下のように算出されてもよい。まず、肌体質判定部３５２は、肌体質スコアを算出する肌特性として「シワ」を選択する。続いて、肌体質判定部３５２は、肌特性「シワ」に関連付けられたＲＳ番号を特定し、特定されたＲＳ番号のそれぞれに対応する変数を生成する。続いて、肌体質判定部３５２は、特定されたＲＳ番号に対応するＳＮＰがユーザの遺伝子に含まれない場合には、そのＲＳ番号に対応する変数を「０」に設定し、特定されたＲＳ番号に対応するＳＮＰがユーザの遺伝子に含まれる場合には、そのＲＳ番号に対応する変数を「１」に設定する。続いて、肌体質判定部３５２は、特定されたＲＳ番号に対応する変数に基づいて特定アルゴリズムに従って肌特性「シワ」の肌体質スコアを算出する。特定アルゴリズムは、例えば、肌特性「シワ」に関連付けられたＲＳ番号に対応する変数に、そのＲＳ番号に対応するＳＮＰが肌特性「シワ」に及ぼす影響の程度に応じて所定の重みづけを行い、その総和を算出するアルゴリズムである。特定アルゴリズムは、肌特性「シワ」に関連付けられたＲＳ番号に対応する変数に基づいて他の任意の演算を行い、肌体質スコアを算出するアルゴリズムであってもよい。特定アルゴリズムは、肌特性「シワ」に関連付けられたＲＳ番号に対応する変数に設定された値の組み合わせに基づいて、予め記憶部３１に記憶されたテーブル等を参照して肌体質スコアを決定するアルゴリズムであってもよい。特定アルゴリズムは、肌特性ごとに異なるアルゴリズムであってもよい。
【００６５】
肌体質判定部３５２は、上述した手順を肌特性「バリア」について実行することにより、肌特性「バリア」の肌体質スコアを算出する。このようにすることで、肌体質判定部３５２は、各肌特性についての肌体質スコアを算出する。
【００６６】
肌体質判定部３５２は、記憶部３１に記憶された遺伝的特徴判定テーブル７００を参照し、各肌特性について算出された肌体質スコアに基づいて、肌特性ごとに遺伝的特徴を判定する。
【００６７】
図７は、遺伝的特徴判定テーブル７００のデータ構造の一例を示す図である。遺伝的特徴判定テーブル７００には、肌特性７１０、リスク判定条件７２０、リスク判定７３０等が関連付けられて記憶される。リスク判定条件７２０には、関連付けられた肌特性の肌体質スコアに関する条件が記憶される。リスク判定７３０には、関連付けられたリスク判定条件が満たされた場合の遺伝的特徴に基づくリスクの程度を表す情報が記憶される。
【００６８】
図７に示される例では、肌のシワの肌体質スコアが「３、４又は５」である場合、肌のシワに関する遺伝的特徴に基づくリスクは、高いと判定される。肌のシワの肌体質スコアが「０、１又は２」である場合、肌のシワに関する遺伝的特徴に基づくリスクは、中程度であると判定される。肌のシワの肌体質スコアが「−２又は−１」である場合、肌のシワに関する遺伝的特徴に基づくリスクは、低いと判定される。
【００６９】
例えば、ＳＮＰテーブル６００において、肌のシワにポジティブな作用を有するＳＮＰが５種、ネガティブな作用を有するＳＮＰが２種である場合、算出される肌のシワの肌体質スコアがとり得る値は、「−２」以上、「５」以下である。そして、ユーザの遺伝子情報がこれらのＳＮＰをすべて含む場合、肌のシワの肌体質スコアは３である。図７に示される例では、肌のシワの肌体質スコアが「３、４又は５」である場合、肌のシワに関する遺伝的特徴に基づくリスクは、高いと判定されるように、リスク判定条件７２０が定められている。また、肌のシワの肌体質スコアが「０、１又は２」である場合、肌のシワに関する遺伝的特徴に基づくリスクは、中程度であると判定されるように、リスク判定条件７２０が定められている。また、肌のシワの肌体質スコアが「−２又は−１」である場合、肌のシワに関する遺伝的特徴に基づくリスクは、低いと判定されるように、リスク判定条件７２０が定められている。
【００７０】
なお、リスク判定条件７２０は、肌特性ごとに異なるように定められてよい。例えば、リスク判定条件７２０は、肌特性にポジティブな作用を有するＳＮＰとネガティブな作用を有するＳＮＰとの数に応じて、肌特性ごとに異なるように定められてもよい。
【００７１】
図３に戻り、肌体質判定部３５２は、遺伝的特徴を判定する肌特性を選択する。続いて、肌体質判定部３５２は、遺伝的特徴判定テーブル７００を参照し、選択された肌特性に関連付けられたリスク判定条件と、選択された肌特性の肌体質スコアを比較することで、選択された肌特性についての遺伝的特徴を判定する。
【００７２】
肌体質判定部３５２は、上述の手順をそれぞれの肌特性について実行することにより、肌特性ごとに遺伝的特徴を判定する。このようにすることで、肌体質判定部３５２は、ユーザの肌体質を判定する。
【００７３】
肌の能力判定部３５３は、角層情報に基づいてユーザの肌の能力を判定する。肌の能力は、肌特性ごとのユーザの肌の外的及び内的リスクの影響の程度を表す情報である。
【００７４】
例えば、肌の能力判定部３５３は、記憶部３１に記憶された外的及び内的リスク判定テーブル８００を参照し、取得部３５１が取得した角層情報に基づいて、肌特性ごとに外的及び内的リスクの程度を判定する。
【００７５】
図８は、外的及び内的リスク判定テーブル８００のデータ構造の一例を示す図である。外的及び内的リスク判定テーブル８００には、肌特性８１０、リスク判定条件８２０及びリスク判定８３０等が関連付けられて記憶される。リスク判定条件８２０には、角層因子を識別する情報と、角層因子の測定量に関する条件とが関連付けられて記憶される。リスク判定８３０には、関連付けられたリスク判定条件を満たした場合の外的及び内的リスクの程度を識別する情報が記憶される。
【００７６】
図８に示される例では、角層因子「ＳＣＣＡ−１」の測定量が「３．０以上」である場合、肌のバリア性に関するリスクは、高いと判定される。また、角層因子「ＳＣＣＡ−１」の測定量が「１．０以上であり且つ３．０未満」である場合、肌のバリア性に関するリスクは、中程度であると判定される。また、角層因子「ＳＣＣＡ−１」の測定量が「１．０未満」である場合、肌のバリア性に関するリスクは、低いと判定される。また、角層因子「ＭＭＰ−９」の測定量が「４０以上」である場合、肌の日焼けダメージに関するリスクは、高いと判定される。
【００７７】
なお、リスク判定条件８２０には、複数の角層因子を識別する情報と、複数の角層因子の測定量の関係に関する条件とが関連付けられて記憶されてもよい。図８に示される例では、「ＩＬ−１ｒａ／ＩＬ−１α」の値が「３００以上」である場合、敏感肌に関するリスクは、高いと判定される。なお、「ＩＬ−１ｒａ／ＩＬ−１α」の値とは、角層因子「ＩＬ−１ｒａ」の測定量の、角層因子「ＩＬ−１α」の測定量に対する比率を表す値である。複数の角層因子の測定量の関係に関する条件は、比率に関する条件に限られず、複数の角層因子の測定量の和や大小関係に関する条件等の任意の条件が用いられてもよい。また、図８に示される例では、肌特性８１０ごとに異なる角層因子に基づいてリスク判定条件８２０が定められているが、同一の角層因子に基づいて複数の肌特性のリスク判定条件８２０が定められてもよい。この場合、リスク判定条件８２０は、肌特性８１０ごとにそれぞれ独立に定められてもよい。例えば、「ＩＬ−１ｒａ／ＩＬ−１α」の値が「１００」以上であるときに、敏感肌に関するリスクが高いと判定されるとともに、「１０」以上であるときに、肌のバリア性に関するリスクが高いと判定されるようにリスク判定条件８２０が定められてもよい。
【００７８】
図３に戻り、肌の能力判定部３５３は、外的及び内的リスクの程度を判定する肌特性を選択する。続いて、肌の能力判定部３５３は、外的及び内的リスク判定テーブル８００を参照し、選択された肌特性に関連付けられたリスク判定条件と、角層情報に含まれる角層因子の種別と測定量とを比較することで、選択された肌特性についての外的及び内的リスクの程度を判定する。
【００７９】
肌の能力判定部３５３は、上述の手順をそれぞれの肌特性について実行することにより、肌特性ごとに外的及び内的リスクの程度を判定する。このようにすることで、肌の能力判定部３５３は、ユーザの肌の能力を判定する。
【００８０】
特定部３５４は、肌体質と肌の能力とに基づいて、ユーザに提案するスキンケアアドバイス及び化粧品を特定する。例えば、特定部３５４は、肌体質判定部３５２によって遺伝的リスクが高いと判定され、且つ、肌の能力判定部３５３によって外的及び内的リスクが高いと判定された肌特性を選択する。特定部３５４は、記憶部３１に記憶されたスキンケアアドバイステーブル９００および化粧品テーブル９１０を参照し、選択された肌特性に対応するスキンケアアドバイス及び化粧品をユーザに提案するスキンケアアドバイス及び化粧品として特定する。
【００８１】
遺伝的特徴に基づくリスクと外的及び内的リスクとの両方が高いと示された複数の肌特性が存在する場合、特定部３５４は、複数の肌特性を選択してもよいし、既定の優先順位に従い複数の肌特性の何れかを選択してもよい。既定の優先順位は、ユーザに共通に定められてもよく、ユーザに対する問診等の結果に基づいてユーザごとに設定されてもよい。遺伝的特徴に基づくリスクと外的及び内的リスクとの何れか一方のみが高いと示された肌特性が存在する場合、特定部３５４は、遺伝的特徴に基づくリスクと外的及び内的リスクとの何れか一方が高いと示された肌特性を選択してもよい。遺伝的特徴に基づくリスクと外的及び内的リスクとの何れかが高いと示された肌特性が存在しない場合、特定部３５４は、遺伝的特徴に基づくリスクと外的及び内的リスクとの両方が中程度であると示された肌特性を選択してもよい。また、特定部３５４は、肌特性を選択することなく既定のスキンケアアドバイス及び化粧品を特定してもよい。
【００８２】
図９Ａは、スキンケアアドバイステーブルのデータ構造の一例を示す図である。スキンケアアドバイステーブル９００には、肌特性９０１とスキンケアアドバイス９０２とが関連付けられて記憶される。肌特性９０１には、所定の肌特性の何れかの項目を識別する情報が記憶される。スキンケアアドバイス９０２には、スキンケアアドバイスを識別する情報が記憶される。スキンケアアドバイス９０２には、ユーザに提示されるスキンケアアドバイスを表すテキストデータが記憶されてもよい。
【００８３】
図３に戻り、特定部３５４は、スキンケアアドバイステーブル９００を参照し、選択された肌特性に関連付けられたスキンケアアドバイスをユーザに提案するスキンケアアドバイスとして特定する。なお、肌特性が選択されなかった場合は、肌特性「なし」に関連付けて記憶されたスキンケアアドバイスをユーザに提案するスキンケアアドバイスとして特定する。また、複数の肌特性が選択された場合は、複数の肌特性のそれぞれに関連付けられた複数のスキンケアアドバイスをユーザに提案するスキンケアアドバイスとして特定してもよいし、既定の優先順位に従い複数のスキンケアアドバイスの何れかをユーザに提案するスキンケアアドバイスとして特定してもよい。
【００８４】
図９Ｂは、化粧品テーブルのデータ構造の一例を示す図である。化粧品テーブル９１０には、肌特性９１１と化粧品９１２とが関連付けられて記憶される。肌特性９１１には、所定の肌特性の何れかの項目を識別する情報が記憶される。化粧品９１２には、化粧品を識別する情報が記憶される。
【００８５】
図３に戻り、特定部３５４は、化粧品テーブル９１０を参照し、選択された肌特性に関連付けられた化粧品をユーザに提案する化粧品として特定する。なお、肌特性が選択されなかった場合は、肌特性「なし」に関連付けて記憶された化粧品をユーザに提案する化粧品として特定する。また、複数の肌特性が選択された場合は、複数の肌特性のそれぞれに関連付けられた複数の化粧品をユーザに提案する化粧品として特定してもよいし、既定の優先順位に従い複数の化粧品の何れかをユーザに提案する化粧品として特定してもよい。
【００８６】
また、特定部３５４は、選択された肌特性に基づいて、ユーザに提示する肌の安定度に関する情報をさらに特定してもよい。肌の安定度に関する情報は、ユーザの肌に関するトラブルの起こりにくさなど、ユーザが健やかな肌を保つための目安となる情報や、肌に関するトラブルの予兆要素などに関する情報である。肌の安定度に関する情報は、肌の刺激への応答性や、化粧品等に含まれる各種成分への反応等に関する情報でもよい。
【００８７】
このようにすることで、特定部３５４は、ユーザに提案するスキンケアアドバイス及び化粧品を特定する。特定部３５４は、スキンケアアドバイス及び化粧品の何れか一方のみを特定してもよい。
【００８８】
提示部３５５は、特定されたスキンケアアドバイス及び化粧品の情報を含むカウンセリング情報をユーザに提示する。例えば、提示部３５５は、スキンケアアドバイス及び化粧品の情報を含むカウンセリング情報をユーザに提示するためのカウンセリング情報表示画像を表示部３３に表示させるための表示データを生成する。提示部３５５は、生成された表示データを表示部３３に供給する。このようにすることで、提示部３５５は、カウンセリング情報をユーザに提示することを実現する。
【００８９】
図１０は、カウンセリング情報表示画像の一例を示す図である。カウンセリング情報表示画像１０００は、遺伝子検査結果表示領域１０１０と、角層検査結果表示領域１０２０と、スキンケアアドバイス表示領域１０２５と、化粧品情報表示領域１０３０と、用法情報表示領域１０４０とを含む。
【００９０】
遺伝子検査結果表示領域１０１０には、肌体質を含む情報が表示される。例えば、遺伝子検査結果表示領域１０１０には、肌特性ごとの遺伝的特徴を表す情報が表示される。角層検査結果表示領域１０２０には、肌の能力を含む情報が表示される。例えば、角層検査結果表示領域１０２０には、肌特性ごとの外的及び内的リスクの程度を表す情報が表示される。スキンケアアドバイス表示領域１０２５には、肌特性ごとの遺伝的特徴と外的及び内的リスクの程度とに基づく、化粧品の種別に限定されない、スキンケアに関するアドバイスが表示される。化粧品情報表示領域１０３０には、特定された化粧品の名称と画像とが表示される。用法情報表示領域１０４０には、特定された化粧品について推奨される用法が表示される。
【００９１】
提示部３５５が提示するカウンセリング情報には、特定部３５４によって特定された肌の安定度に関する情報が含まれてもよい。提示部３５５が提示するカウンセリング情報には、スキンケアアドバイスの情報及び化粧品の情報の何れか一方のみが含まれてもよい。
【００９２】
図１１は、カウンセリング装置３における処理の手順の一例を示すフロー図である。まず、取得部３５１は、ユーザの遺伝子検査の結果を表す遺伝子情報と、ユーザの角層検査の結果を表す角層情報とを取得する（Ｓ１１１０）。続いて、肌体質判定部３５２は、遺伝子情報に基づいて、ユーザの肌体質を判定する（Ｓ１１２０）。続いて、肌の能力判定部３５３は、角層情報に基づいてユーザの肌の能力を判定する（Ｓ１１３０）。続いて、特定部３５４は、肌体質と肌の能力とに基づいてユーザに提案するスキンケアアドバイス及び化粧品を特定する（Ｓ１１４０）。続いて、提示部３５５は、スキンケアアドバイス及び化粧品の情報を含むカウンセリング情報をユーザに提示し（Ｓ１１５０）、一連の処理を終了する。
【００９３】
このように、カウンセリング装置３は、ユーザの遺伝子検査の結果を表す遺伝子情報と、ユーザの角層検査の結果を表す角層情報とを取得する取得部３５１と、遺伝子情報に基づいてユーザの肌体質を判定する肌体質判定部３５２と、角層情報に基づいてユーザの肌の能力を判定する肌の能力判定部３５３と、肌体質と肌の能力とに基づいてユーザに提案するスキンケアアドバイス及び化粧品を特定する特定部３５４と、スキンケアアドバイス及び化粧品の情報を含むカウンセリング情報をユーザに提示する提示部３５５と、を備える。このような構成を備えることにより、カウンセリング装置３は、遺伝的特徴と外的及び内的リスクとを考慮し、より適切な化粧品の情報を提示することを可能とする。また、ユーザは、遺伝的特徴に基づく将来の肌に有用な化粧品の情報と外的及び内的リスクに基づく現在及び近い将来の肌に有用な化粧品の情報との提示を受けることができる。これにより、ユーザはカウンセリング情報の提示を複数回にわたって受ける必要がなくなり、カウンセリング装置３における処理の回数が減少され、処理負荷が低減する。
【００９４】
また、カウンセリング装置３において、カウンセリング情報は、肌体質の情報と肌の能力の情報とを含む。これにより、カウンセリング装置３は、ユーザの肌の遺伝的特徴及び外的及び内的リスクの情報を提供することができ、ユーザが自ら適切なスキンケア法や化粧品を選択することを支援することを可能とする。
【００９５】
また、カウンセリング装置３において、肌体質は、複数の肌特性のそれぞれの遺伝的特徴に基づくリスクの程度を表す情報であり、肌の能力は、複数の肌特性のそれぞれの外的及び内的リスクの程度を表す情報であり、特定部３５４は、肌体質情報によって遺伝的特徴が高いと判定され、且つ、肌の能力情報によって外的及び内的リスクが高いと判定された肌特性に応じたスキンケアアドバイス及び／又は化粧品を特定する。このような構成を備えることにより、カウンセリング装置３は、遺伝的特徴と外的及び内的リスクとの両方が高いと判定され、早急な対応が必要な肌特性の改善に適したスキンケアアドバイス及び化粧品をユーザに提示することを可能とする。
【００９６】
なお、カウンセリング装置３は、上述した実施形態に限られない。以下では、カウンセリング装置３の他の実施形態について説明する。なお、同一の構成については同一の符号を付し、適宜説明を省略する。
【００９７】
［変形例１］
上述した実施例では、特定部３５４は、肌体質によって遺伝的特徴に基づくリスクが高いと示され、且つ、肌の能力によって外的及び内的リスクが高いと示された肌特性に応じたスキンケアアドバイス及び化粧品を特定したが、これに限られない。特定部３５４は、肌の能力に基づいて外的及び内的リスクが高い肌特性を特定し、肌体質に基づいて肌特性の悪化のメカニズムを特定し、特定された肌特性とメカニズムとに基づいてスキンケアアドバイス及び／又は化粧品を特定してもよい。
【００９８】
例えば、肌体質判定部３５２は、記憶部３１に記憶されたＳＮＰテーブル６００ａを参照し、遺伝子情報に基づいて、肌特性の悪化のメカニズムの遺伝的特徴の程度を判定する。
【００９９】
図１２は、ＳＮＰテーブル６００ａのデータ構造の一例を示す図である。ＳＮＰテーブル６００ａには、ＲＳ番号６１０と、肌特性６２０と、メカニズム６４０と、作用６３０とが関連付けられて記憶される。メカニズム６４０には、関連付けられた肌特性を変化させるメカニズムを識別する情報が記憶される。単一の肌特性に対して複数のメカニズムが関連付けられてもよい。これにより、肌特性の変化を生じさせるメカニズムは複数存在する場合でも、肌特性とメカニズムが適切に関連付けられる。
【０１００】
図１２に示される例では、ＲＳ番号「rs1800629」は、肌特性「シワ」とメカニズム「炎症」と作用「ポジティブ」とに関連付けられて記憶されている。これは、ＲＳ番号「rs1800629」に対応するＳＮＰを有するユーザは、肌特性「シワ」が形成されやすくなることを表す。ＲＳ番号「rs1800629」に対応するＳＮＰは、「炎症因子TNFの産生が高くなりやすい」という影響を有し、肌特性「シワ」が形成されやすくなるという影響を有するためである。すなわち、ＳＮＰテーブル６００ａには、ＲＳ番号「rs1800629」に対応するＳＮＰを有するユーザが、そのＳＮＰを有しないユーザと比較して、肌が炎症を起こしやすく、その結果シワが生じやすいという遺伝的性質を有することを示す情報が記憶される。また、ＲＳ番号「rs1107946」は、肌特性「シワ」とメカニズム「Ｉ型コラーゲンの産生」と作用「ネガティブ」に関連付けられて記憶されている。これは、ＲＳ番号「rs1107946」に対応するＳＮＰを有するユーザは、肌特性「シワ」が生じにくいことを表している。ＲＳ番号「rs1107946」に対応するＳＮＰは、「Ｉ型コラーゲンの産生が高まりやすい」という影響を有することが知られており、肌特性「シワ」には真皮のコラーゲンの悪化が影響するためである。すなわち、ＳＮＰテーブル６００ａには、ＲＳ番号「rs1107946」に対応するＳＮＰを有するユーザが、そのＳＮＰを有しないユーザと比較して、Ｉ型コラーゲン産生が高まりやすく、その結果シワが生じにくいという遺伝的性質を有することを示す情報が記憶される。
【０１０１】
肌体質判定部３５２は、肌体質スコアを算出する肌特性とメカニズムとを選択する。肌体質判定部３５２は、ＳＮＰテーブル６００ａを参照し、遺伝子情報に含まれるＲＳ番号のうち、選択された肌特性とメカニズムとに関連付けられ、且つ、「ポジティブ」の作用に関連付けられたＲＳ番号の数を計数する。また、肌体質判定部３５２は、遺伝子情報に含まれるＲＳ番号のうち、選択された肌特性とメカニズムとに関連付けられ、且つ、「ネガティブ」の作用に関連付けられたＲＳ番号の数を計数する。続いて、肌体質判定部３５２は、「ポジティブ」の作用に関連付けられたＲＳ番号の数から「ネガティブ」の作用に関連付けられたＲＳ番号の数を減じることで、選択された肌特性とメカニズムとの肌体質スコアを算出する。
【０１０２】
肌体質判定部３５２は、上述した手順をそれぞれの肌特性とメカニズムとについて実行することで、各メカニズムについて肌体質スコアを算出する。
【０１０３】
また、肌体質判定部３５２は、記憶部３１に記憶された遺伝的特徴判定テーブル７００ａを参照し、メカニズムごとに算出された肌体質スコアに基づいて、各メカニズムについて遺伝的特徴の程度を判定する。
【０１０４】
図１３は、遺伝的特徴判定テーブル７００ａのデータ構造の一例を示す図である。遺伝的特徴判定テーブル７００ａには、肌特性７１０、メカニズム７４０、リスク判定条件７２０及びリスク判定７３０等が関連付けられて記憶される。メカニズム７４０には、メカニズムを識別する情報が記憶される。
【０１０５】
図１３に示されるように、炎症の肌体質スコアが「１又は２」である場合、炎症による肌のシミに関する遺伝的特徴に基づくリスクは、高いと判定される。また、炎症の肌体質スコアが「０」である場合、肌のシワに関する遺伝的特徴は、中程度であると判定される。また、炎症の肌体質スコアが「−２又は−１」である場合、肌のシワに関する遺伝的特徴は、低いと判定される。
【０１０６】
肌体質判定部３５２は、遺伝的特徴の程度を判定するメカニズムを選択する。肌体質判定部３５２は、選択されたメカニズムに関連付けられたリスク判定条件と、選択されたメカニズムの肌体質スコアとを比較することで、選択されたメカニズムについての遺伝的特徴の程度を判定する。肌体質判定部３５２は、上述した処理をメカニズムのそれぞれについて実行することで、各メカニズムについて遺伝的特徴の程度を判定し、肌体質情報を生成する。
【０１０７】
特定部３５４は、肌体質情報と肌の能力情報とに基づいて、ユーザに提案する化粧品を特定する。特定部３５４は、肌の能力によって外的及び内的リスクが高いと示されている肌特性を選択する。特定部３５４は、選択された肌特性に関連付けられたメカニズムのうち、肌体質によって遺伝的特徴に基づくリスクが高いと示されているメカニズムを選択する。特定部３５４は、選択されたメカニズムに対応する化粧品をユーザに提案する化粧品として特定する。
【０１０８】
上述したような構成を備えることにより、カウンセリング装置３は、外的及び内的リスクが高い肌特性について、肌特性の悪化が生じる複数のメカニズムのうち、遺伝的特徴が高いメカニズムに対処する化粧品を提示することができる。
【０１０９】
［変形例２］
カウンセリング装置３において、特定部３５４は、肌体質に基づいて第１化粧品を特定し、肌の能力に基づいて第２化粧品を特定してもよい。例えば、特定部３５４は、肌体質によって遺伝的特徴に基づくリスクが高いと示されている肌特性に応じて第１化粧品を特定する。また、特定部３５４は、肌の能力によって外的及び内的リスクが高いと示されている肌特性に応じて第２化粧品を特定する。提示部３５５は、特定された第１化粧品の情報と第２化粧品の情報とを含むカウンセリング情報をユーザに提示する。このような構成を備えることにより、カウンセリング装置３は、ユーザの肌に現在生じている問題とユーザの肌に将来生じうる問題とに対処するための、ユーザの肌にとって長期的な視点で適切な化粧品を提示することを可能とする。
【０１１０】
［変形例３］
カウンセリング装置３において、取得部３５１は、ユーザの問診情報を取得し、特定部３５４は、問診情報にさらに基づいて、ユーザに提示する化粧品を特定してもよい。
【０１１１】
例えば、取得部３５１は、問診情報入力画面を表示するための画像データを生成し、表示部３３に問診情報入力画面を表示する。取得部３５１は、ユーザが操作部３２を操作して、表示された問診情報入力画面に入力した情報を取得することで、問診情報を取得する。
【０１１２】
図１４は、問診情報入力画面１４００の一例を示す図である。問診情報入力画面１４００は、複数の設問領域１４１０と、複数の設問領域のそれぞれに対応する複数の回答領域１４２０と、送信ボタン１４３０とを含む。ユーザは、操作部３２を操作して、設問領域１４１０に表示された設問に対する回答を回答領域１４２０に入力する。設問への回答が終了すると、ユーザは、送信ボタン１４３０を選択する。取得部３５１は、送信ボタン１４３０が選択されたことに応じ、回答領域１４２０に入力された回答を取得することで、問診情報を取得する。
【０１１３】
問診情報には、ユーザの性別、年齢、食事の内容、日常生活における日光暴露の状況、睡眠の長さ及び時間帯、寝つきの良さ、喫煙の有無、過去の肌荒れ経験の有無、現在のストレスの度合い、月経周期並びに睡眠時間等の属性情報が含まれてよい。問診情報には、ユーザの嗜好に関する嗜好情報が含まれてよい。属性情報及び嗜好情報は、ユーザが設問に回答することによらずに取得されてもよい。例えば、問診情報入力画面１４００の設問領域１４１０において複数の画像を提示し、回答領域１４２０において複数の画像のうち、ユーザの好みに沿う画像を選択させることで、取得部３５１は、ユーザの嗜好情報を取得する。取得部３５１は、図示しない測定装置を用いてユーザの表情に関する情報又はユーザの脳波に関する情報を取得し、取得した情報に基づいてユーザの属性情報又は嗜好情報を取得してもよい。取得部３５１は、ユーザの行動特性又は心理的な変化に基づいてユーザの属性情報又は嗜好情報を取得してもよい。
【０１１４】
続いて、特定部３５４は、問診情報にさらに基づいて、ユーザに提示する化粧品を特定する。例えば、特定部３５４は、肌体質情報によって遺伝的特徴に基づくリスクが高いと示され、且つ、肌の能力情報によって外的及び内的リスクが高いと示された肌特性を選択する。特定部３５４は、記憶部３１に記憶されたスキンケアアドバイステーブル９００ａを参照し、選択された肌特性と問診情報とに対応するスキンケアアドバイス及び化粧品をユーザに提案するスキンケアアドバイス及び化粧品として特定する。
【０１１５】
図１５は、スキンケアアドバイステーブル９００ａのデータ構造の一例を示す図である。スキンケアアドバイステーブル９００ａには、肌特性９０１と問診分類９０４と化粧品９０３とスキンケアアドバイス９０２とが関連付けて記憶される。化粧品９０３には、化粧品を識別する情報が記憶される。問診分類９０４には、取得部３５１が取得した問診情報に基づくユーザの分類条件が記憶される。
【０１１６】
特定部３５４は、スキンケアアドバイステーブル９００ａを参照し、選択された肌特性に関連付けられた問診分類のうち、取得部３５１が取得した問診情報が条件を満たす問診分類を特定する。特定部３５４は、特定した問診分類に関連付けられたスキンケアアドバイス及び／又は化粧品をユーザに提案するスキンケアアドバイス及び／又は化粧品として特定する。
【０１１７】
上述したような構成を備えることにより、カウンセリング装置３は、ユーザの問診情報に基づいて、ユーザの生活習慣に適合するスキンケアアドバイス及び／又は化粧品を提示することができる。また、カウンセリング装置３は、ユーザの問診情報に基づいて、ユーザの嗜好に適合するスキンケアアドバイス及び／又は化粧品を提示することができ、ユーザの満足感を向上することができる。
【０１１８】
［変形例４］
カウンセリング装置３において、角層情報は、取得時期が異なる複数の角層検査の結果を含み、肌の能力判定部３５３は、角層情報に基づいて肌の能力の変動パターンを判定してもよい。
【０１１９】
この場合、取得部３５１は、取得時期が異なる複数の角層検査の結果を含む角層情報を取得する。取得部３５１は、通信部３４を介して、角層検査の結果を表す情報を角層検査装置２から受信する。取得部３５１は、受信した角層検査の結果を表す情報を記憶部３１に記憶するとともに、記憶部３１に記憶されている、受信した角層検査の結果とは取得時期が異なる角層検査の結果を表す情報を記憶部３１から取得する。このようにして、取得部３５１は、取得時期が異なる複数の角層検査の結果を含む角層情報を取得する。
【０１２０】
肌の能力判定部３５３は、角層情報に基づいて、肌の能力の変動パターンを判定する。例えば、肌の能力判定部３５３は、記憶部３１に記憶された変動パターン判定テーブル１６００を参照し、肌特性ごとの外的及び内的リスクの程度を表す肌の能力と、肌特性ごとの外的及び内的リスクの変化の傾向を表す変動パターンとを判定する。
【０１２１】
図１６は、変動パターン判定テーブル１６００のデータ構造の一例を示す図である。変動パターン判定テーブル１６００には、肌特性１６１０と、第１リスク判定条件１６２０と、リスク判定１６３０と、第２リスク判定条件１６４０と、変動パターン判定１６５０とが関連付けられて記憶される。第１リスク判定条件１６２０には、受信された角層検査の結果（以下、第１角層情報と称する。）に関する判定条件が記憶される。リスク判定１６３０には、関連付けて記憶された第１リスク判定条件が満たされた場合の外的及び内的リスクの程度を表す情報が記憶される。リスク判定１６３０に記憶された外的及び内的リスクの程度は、第１角層情報のみに基づいて判定される。すなわち、外的及び内的リスクの程度は、現在の肌の能力を反映した情報である。第２リスク判定条件１６４０には、第１角層情報より前に取得された角層検査の結果（以下、第２角層情報と称する。）に関する判定条件が記憶される。変動パターン判定１６５０には、関連付けて記憶された第１リスク判定条件と第２リスク判定条件とが満たされた場合の外的及び内的リスクの程度の変動の状況を識別する情報が記憶される。変動パターン判定１６５０には、例えば、「改善傾向」「悪化傾向」「変動なし」等の情報の何れかが記憶される。変動パターン判定１６５０に記憶された変動の状況は、第１角層情報に加え、第２角層情報にも基づいて判定される。すなわち、変動の状況は、現在の肌の能力と過去の肌の能力とを反映した情報である。
【０１２２】
肌の能力判定部３５３は、外的及び内的リスクの程度と肌変動パターンとを判定する肌特性を選択する。肌の能力判定部３５３は、選択された肌特性に関連付けられた第１リスク判定条件と、第１角層情報に含まれる角層因子の種別と測定量とを比較することで、選択された肌特性についての外的及び内的リスクの程度を判定する。肌の能力判定部３５３は、選択された判定された外的及び内的リスクに関連付けられた第２リスク判定条件と、第２角層情報に含まれる角層因子の種別と測定量とを比較することで、選択された肌特性についての肌変動パターンを判定する。
【０１２３】
肌の能力判定部３５３は、上述の手順をそれぞれの肌特性について実行することにより、肌特性ごとに外的及び内的リスクの程度と変動パターンとを判定する。
【０１２４】
特定部３５４は、肌体質情報と肌の能力情報に基づいて、スキンケアアドバイス及び／又は化粧品を特定する。例えば、特定部３５４は、肌体質情報によって遺伝的特徴が高いと示され、且つ、肌の能力情報によって外的及び内的リスクが高く、変動パターンが「悪化傾向」又は「変動なし」であると示された肌特性を特定する。特定部３５４は、特定された肌特性に応じたスキンケアアドバイス及び化粧品を特定する。
【０１２５】
上述したような構成を備えることにより、カウンセリング装置３は、外的及び内的リスクが改善傾向にある肌特性よりも外的及び内的リスクが悪化傾向にある肌特性に優先して対処するスキンケアアドバイス及び化粧品を提示することができ、よりユーザの肌に適したスキンケアアドバイス及び化粧品を提示することができる。
【０１２６】
［変形例５］
カウンセリング装置３において、取得部３５１は、ユーザの肌を撮影した肌画像に基づく肌画像情報を取得し、特定部３５４は、肌画像情報にさらに基づいて、スキンケアアドバイス及び化粧品を特定してもよい。
【０１２７】
この場合、ネットワーク４を介してカウンセリング装置３と通信可能に接続された図示しない撮影装置は、ユーザの肌を撮影し、ユーザの肌画像を生成する。取得部３５１は、通信部３４を介して、撮影装置からユーザの肌画像と肌画像の撮影時刻とを取得する。取得部３５１は、取得した肌画像に対して所定の画像解析アルゴリズムを適用することによって、肌画像情報を取得する。肌画像情報は、肌表面あるいは肌の奥の状態の推定情報である。肌画像情報は、例えば、肌のキメ、シワ、うるおい、シミ、透明感、皮脂、明るさ、等の肌特性のそれぞれについてのリスクの程度を表す情報であってよい。
【０１２８】
特定部３５４は、肌体質情報と肌の能力情報と肌画像情報とに基づいてスキンケアアドバイス及び／又は化粧品を特定する。例えば、特定部３５４は、肌体質情報に基づいて遺伝的リスクが高いと判定され、且つ、肌の能力情報に基づいて外的及び内的リスクが高いと判定され、且つ、肌画像情報に基づいてリスクが高いと判定された肌特性を特定する。特定部３５４は、スキンケアアドバイステーブル９００及び化粧品テーブル９１０を参照し、特定された肌特性に基づいてユーザに提示するスキンケアアドバイス及び化粧品を特定する。
【０１２９】
このように、肌画像情報と肌体質情報とを組み合わせて用いることで、肌体質情報から導かれる本来の肌の状態と肌画像情報から導かれる現在の肌の状態との間の乖離が明らかになる。そして、スキンケアアドバイス及び／又は化粧品の有用性がより明確となるため、カウンセリング装置３は、ユーザにとって納得感のある提案をすることができる。また、カウンセリング装置３は、肌画像情報と肌体質情報とを組み合わせて用いることで、例えば、肌画像情報に基づいてリスクが低いと判定され、肌体質情報に基づいてリスクが高いと判定された肌特性について、予防的な対応を提案することが可能となる。
【０１３０】
［変形例６］
また、カウンセリング装置３において、取得部３５１は、ユーザの属性情報又は嗜好情報と、ユーザの肌を撮影した肌画像に基づく肌画像情報とをさらに取得してよい。そして、特定部３５４は、肌の能力、属性情報又は嗜好情報、及び、肌画像情報に基づいて、ユーザの肌に影響する要素を抽出し、肌体質と抽出された要素とに基づいて、スキンケアアドバイス及び化粧品を特定してよい。
【０１３１】
肌に影響する要素は、属性情報や嗜好情報の内から抽出されてよい。例えば、肌の能力又は肌画像情報に基づいて肌の「日焼けダメージ」に関する外的及び内的リスクが高いと判定された場合、特定部３５４は、属性情報や嗜好情報の内から「日焼けダメージ」に関する情報（例えば、紫外線への対処が十分であるか否か）を肌に影響する要素として抽出する。特定部３５４は、抽出された要素と肌体質とに基づいて、スキンケアアドバイス及び化粧品を特定する。例えば、特定部３５４は、ユーザの紫外線への対処が十分であるか否か、及び、ユーザの肌体質のうち日焼けダメージに関するＳＮＰスコアが所定値以上であるか否かに応じて、異なるスキンケアアドバイス及び化粧品を特定する。
【０１３２】
このようにすることで、ユーザは、属性情報又は嗜好情報のうち、ユーザの肌に影響が大きいと考えられる属性情報又は嗜好情報の要素に基づくスキンケアアドバイスの提示を受けることができる。属性情報又は嗜好情報は、ユーザが自身の認識に基づいて入力した情報であるため、属性情報又は嗜好情報に基づくスキンケアアドバイスはユーザにとってより納得感の高いものとなり、アドバイスが実践される可能性が高くなる。また、属性情報又は嗜好情報はユーザの生活習慣ごとに大きく異なるため、よりユーザ毎にパーソナライズしたスキンケアアドバイスが提示されるようになる。
【０１３３】
なお、特定部３５４は、肌に影響する要素として、例えば、食事バランス、ビタミンやミネラル等の特定の栄養素の摂取量、就寝時間、睡眠時間、紫外線や大気汚染に対する暴露状況、精神ストレスの程度等を抽出してもよい。
【０１３４】
［変形例７］
なお、上述した説明では、カウンセリング装置３において、特定部３５４は、肌体質情報及び肌の能力情報に基づいて肌特性を特定し、特定された肌特性に基づいてスキンケアアドバイス及び化粧品を特定したが、これに限られない。特定部３５４は、肌体質情報に代えて、遺伝子情報に基づいてスキンケアアドバイス及び／又は化粧品を特定してよい。
【０１３５】
この場合、例えば、特定部３５４は、肌の能力情報に基づいて外的及び内的リスクが高いと判定された肌特性を特定する。特定部３５４は、ＳＮＰテーブル６００を参照して、特定された肌特性に関連付けられたＳＮＰのＲＳ番号を取得する。特定部３５４は、遺伝子情報に基づいて、取得されたＲＳ番号のそれぞれに対応するＳＮＰがユーザの遺伝子に含まれるか否かを判定する。特定部３５４は、それぞれのＳＮＰがユーザの遺伝子に含まれるか否かを判定した結果の組み合わせに基づいて、スキンケアアドバイス及び化粧品を特定する。それぞれのＳＮＰがユーザの遺伝子に含まれるか否かを判定した結果の組み合わせとスキンケアアドバイス及び化粧品との対応関係は、あらかじめ記憶部３１に記憶されていてよい。
【０１３６】
このようにすることで、カウンセリング装置３は、ＳＮＰの組み合わせに応じたスキンケアアドバイス及び／又は化粧品をユーザに提示することが可能となる。すなわち、肌体質スコアが同一であっても、ＳＮＰの組み合わせに応じて異なる提案が可能となるため、カウンセリング装置３は、よりユーザの体質に沿ったアドバイスをすることが可能となる。
【０１３７】
なお、上述した説明では肌体質情報に代えて遺伝子情報を用いたが、特定部３５４は、肌の能力情報に代えて角層情報に基づいてスキンケアアドバイス及び／又は化粧品を特定してもよい。
【０１３８】
［変形例８］
また、カウンセリング装置３において、提示部３５５が提示するカウンセリング情報は、ユーザが自身と近い肌体質をもつ他のユーザと情報を交換し、又はスキンケアアドバイス及び化粧品に関する情報を得るためのコミュニティに関する情報を含んでもよい。
【０１３９】
この場合、記憶部３１は、ユーザに関する情報を管理するユーザ情報テーブルをさらに記憶する。
【０１４０】
図１７は、ユーザ情報テーブル１７００のデータ構造の一例を示す図である。ユーザ情報テーブル１７００には、識別情報１７１０と、連絡情報１７２０と、遺伝子情報１７３０と、グループ１７４０と、ＵＲＬ１７５０とが関連付けて記憶される。
【０１４１】
識別情報１７１０には、ユーザを一意に識別可能な情報が記憶される。連絡情報１７２０には、ユーザにカウンセリング情報を提示するための情報が記憶される。連絡情報１７２０には、例えば、ユーザのメールアドレスが記憶される。遺伝子情報１７３０には、取得部３５１によって取得されたユーザの遺伝子情報の一部又は全部が記憶される。図１７に示される例では、遺伝子情報１７３０には、複数のＳＮＰのＲＳ番号と、ユーザがそれぞれのＲＳ番号に対応するＳＮＰを有しているか否かを示す情報とが関連付けられた情報が記憶されている。グループ１７４０には、ユーザの遺伝子情報１７３０に基づいて定められる、ユーザが所属する肌体質のグループを識別する情報が記憶される。ユーザは、コミュニティサイトを通じて、ユーザが所属するグループに対して発信された情報を受信することができる。また、ユーザは、コミュニティサイトを通じて、ユーザが所属するグループに対して情報を発信することができる。ＵＲＬ１７５０には、ユーザがコミュニティサイトにログインするためのＵＲＬが記憶される。ＵＲＬは、ユーザがコミュニティサイトにログインするためのログイン情報を含む、ユーザ毎に異なる文字列であってよい。また、グループ毎に異なるコミュニティサイトが設けられる場合、ＵＲＬは、ユーザが所属するグループ毎に異なる文字列であってよい。なお、ＵＲＬは、コミュニティに関する情報の一例である。
【０１４２】
取得部３５１は、遺伝子情報及び角層情報に加え、ユーザの通信端末にコミュニティに関する情報を送信するための連絡情報をさらに取得する。取得部３５１は、操作部３２を介してユーザに連絡情報を入力させることによって連絡情報を取得してもよく、通信部３４を介してユーザの通信端末から連絡情報を取得してもよい。取得部３５１は、連絡情報と遺伝子情報とをユーザ情報テーブル１７００に記憶する。
【０１４３】
特定部３５４は、ユーザに提示するスキンケアアドバイス及び／又は化粧品を特定することに加え、ユーザ情報テーブル１７００の遺伝子情報１７３０に基づいて、ユーザが所属するグループをさらに特定する。特定部３５４は、例えば、遺伝子情報１７３０の複数のＳＮＰのＲＳ番号と、それぞれのＲＳ番号に対応するＳＮＰを有しているか否かを示す情報との組み合わせに応じて、ユーザが所属するグループを特定する。グループは、例えば、あらかじめ記憶部３１に記憶された、ＲＳ番号と、ＲＳ番号に対応するＳＮＰを有しているか否かを示す情報との組み合わせに基づいて特定されてよい。ユーザが所属するグループを特定した特定部３５４は、特定したグループをユーザ情報テーブル１７００に記憶する。これにより、相互に近い肌体質を有するユーザが同一のグループに所属する。
【０１４４】
特定部３５４は、ユーザが所属するグループに基づいて、ユーザがコミュニティサイトにログインするためのＵＲＬをさらに特定する。特定部３５４は、例えば、あらかじめ記憶部３１に記憶された複数のグループのそれぞれに対応するＵＲＬのうちから、ユーザが所属するグループに対応するＵＲＬを選択することにより、ＵＲＬを特定する。
【０１４５】
提示部３５５は、特定部３５４によって特定されたスキンケアアドバイス及び化粧品の情報及びＵＲＬを含むカウンセリング情報をユーザに提示するためのカウンセリング情報表示画像１０００ａをユーザの通信端末に表示させるための表示データを生成する。
【０１４６】
図１８は、カウンセリング情報表示画像１０００ａの一例を示す図である。カウンセリング情報表示画像１０００ａは、遺伝子検査結果表示領域１０１０と、角層検査結果表示領域１０２０と、スキンケアアドバイス表示領域１０２５と、化粧品情報表示領域１０３０と、用法情報表示領域１０４０と、テキスト表示領域１０５０とを含む。テキスト表示領域１０５０は、ユーザをコミュニティサイトへ誘導するための文字列を表示する領域である。図１８に示す例では、テキスト表示領域１０５０に表示される文字列は、特定部３５４によって特定されたＵＲＬへのハイパーリンクを含む。テキスト表示領域１０５０は、特定部３５４によって特定されたＵＲＬを文字列として表示してもよい。
【０１４７】
提示部３５５は、記憶部３１のユーザ情報テーブル１７００を参照し、ユーザの連絡情報を取得する。続いて、提示部３５５は、取得した連絡情報に基づいて、カウンセリング情報表示画像の表示データをユーザの通信端末に送信する。このようにすることで、提示部３５５は、コミュニティに関する情報を含むカウンセリング情報をユーザに提示する。
【０１４８】
このようにすることで、カウンセリング装置３は、ユーザが自身と近い肌体質を有する他のユーザとの情報交換の場となるコミュニティを提供することができる。そして、カウンセリング装置３は、ユーザの肌体質にあった情報をコミュニティにおいて発信することで、ユーザにとってより適切なスキンケアアドバイスや化粧品の情報を継続的に提示することができる。
【０１４９】
なお、上述した説明では、提示部３５５は、カウンセリング情報表示画像１０００ａの表示データを送信することでユーザにカウンセリング情報を提示したが、これに限られず、多様な方法で提示してよい。例えば、提示部３５５は、カウンセリング情報表示画像をウェブページとしてユーザに提示してもよい。
【０１５０】
また、提示部３５５は、コミュニティサイトのＵＲＬのみをユーザに送信してもよい。この場合、コミュニティサイトは、カウンセリング情報表示画像をユーザに提示できるように構成されてもよい。
【０１５１】
以上、本発明の好適な実施形態について説明してきたが、本発明はこれらの実施形態に限定されるものではない。当業者は、本発明の思想及び範囲から外れることなく、様々な変更、置換、及び修正をこれに加えることが可能であることを理解されたい。
【符号の説明】
【０１５２】
Ｓ    カウンセリングシステム
１    遺伝子検査装置
２    角層検査装置
３    カウンセリング装置
３１    記憶部
３２    操作部
３３    表示部
３４    通信部
３５    処理部
３５１    取得部
３５２    肌体質判定部
３５３    肌の能力判定部
３５４    特定部
３５５    提示部
【図１】
2020130103.tif 000003
【図２】
2020130103.tif 000004
【図３】
2020130103.tif 000005
【図４】
2020130103.tif 000006
【図５】
2020130103.tif 000007
【図６】
2020130103.tif 000008
【図７】
2020130103.tif 000009
【図８】
2020130103.tif 000010
【図９Ａ】
2020130103.tif 000011
【図９Ｂ】
2020130103.tif 000012
【図１０】
2020130103.tif 000013
【図１１】
2020130103.tif 000014
【図１２】
2020130103.tif 000015
【図１３】
2020130103.tif 000016
【図１４】
2020130103.tif 000017
【図１５】
2020130103.tif 000018
【図１６】
2020130103.tif 000019
【図１７】
2020130103.tif 000020
【図１８】
2020130103.tif 000021
【国際調査報告】
2020130103.tif 000022
2020130103.tif 000023
2020130103.tif 000024
2020130103.tif 000025